(57)【特許請求の範囲】
【請求項１】
赤外線を照射するための赤外線発生器と、前記赤外線発生器からの赤外線を分析対象試料に向けて反射させる第１反射鏡と、前記分析対象試料を透過した赤外線を赤外線検出器に向けて反射させる第２反射鏡とを備え、受光した赤外線をフーリエ変換分光法によって分光して前記分析対象試料を測定する赤外透過スペクトル測定装置であって、
前記分析対象試料に照射するためのＸ線発生器と、
前記分析対象試料を透過したＸ線を受光する小角散乱検出器または広角散乱検出器のいずれか一方または両方とを備え、
前記Ｘ線の中心線を挟む両側のうち一方の側に前記第１反射鏡を配置し、前記Ｘ線の中心線を挟む両側のうち他方の側に前記第２反射鏡を配置し、
前記第１反射鏡および前記第２反射鏡は、前記赤外線の中心線と前記Ｘ線の中心線とのずれ角が５度以下になるように配置されていることを特徴とする赤外透過スペクトル測定装置。
【請求項２】
前記第１反射鏡および前記第２反射鏡は、放物面鏡の一部を切り取って形成したものであることを特徴とする請求項１に記載の赤外透過スペクトル測定装置。
【請求項３】
赤外線を照射するための赤外線発生器と、前記赤外線発生器からの赤外線を分析対象試料に向けて反射させる第１反射鏡と、前記分析対象試料を透過した赤外線を赤外線検出器に向けて反射させる第２反射鏡とを備え、受光した赤外線をフーリエ変換分光法によって分光して前記分析対象試料を測定する赤外透過スペクトル測定装置において、
前記分析対象試料に照射するためのＸ線発生器と、
前記分析対象試料を透過したＸ線を受光する小角散乱検出器とを備え、
前記第１反射鏡および第２反射鏡の中心にＸ線を通す通過孔を設けたことを特徴とする赤外透過スペクトル測定装置。
【請求項４】
赤外線を照射するための赤外線発生器と、この赤外線を集光するための第１放物面鏡と、集光した赤外線を分析対象試料へ向けて反射させる第１平面鏡と、前記分析対象試料を透過した赤外線を赤外線検出器に向けて反射させる第２平面鏡および第２放物面鏡とを備え、受光した赤外線をフーリエ変換分光法によって分光して前記分析対象試料を測定する赤外透過スペクトル測定装置であって、
前記分析対象試料に照射するためのＸ線発生器と、
前記分析対象試料を透過したＸ線を受光する小角散乱検出器または広角散乱検出器のいずれか一方または両方とを備え、
前記Ｘ線の中心線を挟む両側のうち一方の側に前記第１平面鏡を配置し、前記Ｘ線の中心線を挟む両側のうち他方の側に前記第２平面鏡を配置し、
前記第１平面鏡および前記第２平面鏡は、前記赤外線の中心線と前記Ｘ線の中心線とのずれ角が５度以下になるように配置されていることを特徴とする赤外透過スペクトル測定装置。
【請求項５】
前記第１平面鏡および前記第２平面鏡は、平面鏡の一部を切り取って形成したものであることを特徴とする請求項４に記載の赤外透過スペクトル測定装置。
【発明の詳細な説明】
【技術分野】
【０００１】
本発明は、試料に赤外線を照射してそのデータをフーリエ変換してスペクトル化する一方、それと同時にＸ線を照射して試料の広角Ｘ線散乱図形または小角Ｘ線散乱図形の一方あるいは両方のデータを同時に記録することが可能な赤外透過スペクトル測定装置に関する。
【背景技術】
【０００２】
フーリエ変換赤外分光計と蛍光Ｘ線分析装置とを用いて同時に測定を行う物質同定装置の技術が開示されている。この物質同定装置１００は、図７に示すように、試料１０１を載置するための水平面を有するステージ１０２を備えている。このステージ１０２は、Ｘ，Ｙ，Ｚ方向へそれぞれ移動可能に構成されている。
【０００３】
また、物質同定装置１００には、ステージ１０２の水平面上の試料１０１に対して左側上方に配置されたＸ線発生器１１０と、試料１０１に対して右側下方および右側上方にそれぞれ配置されたＸ線検出器１１１、１１２とが設けられている。
Ｘ線発生器１１０から試料１０１に向けて照射されたＸ線は、右側上方に位置するＸ線検出器１１２によって試料１０１で生ずる蛍光Ｘ線として検出されると共に、右側下方に位置するＸ線検出器１１１によって試料１０１を通過した透過Ｘ線として検出される。
【０００４】
さらに、物質同定装置１００には、試料１０１に対して右側上方に配置された赤外線発生器１２０と、試料１０１に対して左側下方および左側上方にそれぞれ配置された赤外線検出器１２１、１２２とが設けられている。
赤外線発生器１２０から試料に向けて照射された赤外線は、左側上方に位置する赤外線検出器１２２によって試料１０１によって反射される反射赤外線として検出されると共に、左側下方に位置する赤外線検出器１２１によって試料１０１を通過した通過赤外線として検出される。
【０００５】
このような装置１００では、赤外線およびＸ線を透過法および反射法を用いて同時に測定することで、個々に測定する場合と比較して、作業時間等を短縮することができるという効果を奏する（例えば、特許文献１参照）。
【先行技術文献】
【特許文献】
【０００６】
【特許文献１】特開平２０００−２５８３４０号公報
【発明の概要】
【発明が解決しようとする課題】
【０００７】
しかしながら、上述の物質同定装置１００では、透過法および反射法を用いて試料１０１を同定しているため、各検出器１１１、１１２、１２１、１２２は試料１０１を中心にして四方に点在する態様で設置しなければならない。そのため、装置自体を小型化することが困難であった。また、物質同定装置１００では、赤外線とＸ線の照射および観察軸が大きく異なることから、試料１０１の同一点に関するそれぞれのデータが同時に得られるものの、得られるデータが含む情報そのものが大きく異なってくる。
【０００８】
本発明は、上述した事情を鑑みてなされたものであり、分析対象試料に対してほぼ同軸で赤外線とＸ線とを同時に透過させて測定することができると共に、装置の小型化を図ることができる赤外透過スペクトル測定装置を提供することにある。
【課題を解決するための手段】
【０００９】
上述課題を解決するため、本発明は、赤外線を照射するための赤外線発生器と、前記赤外線発生器からの赤外線を分析対象試料に向けて反射させる第１反射鏡と、前記分析対象試料を透過した赤外線を赤外線検出器に向けて反射させる第２反射鏡とを備え、受光した赤外線をフーリエ変換分光法によって分光して前記分析対象試料を測定する赤外透過スペクトル測定装置であって、前記分析対象試料に照射するためのＸ線発生器と、前記分析対象試料を透過したＸ線を受光する小角散乱検出器または広角散乱検出器のいずれか一方または両方とを備え、前記Ｘ線の中心線を挟む両側のうち一方の側に前記第１反射鏡を配置し、前記Ｘ線の中心線を挟む両側のうち他方の側に前記第２反射鏡を配置し、前記第１反射鏡および前記第２反射鏡は、前記赤外線の中心線と前記Ｘ線の中心線とのずれ角が５度以下になるように配置されていることを特徴とする。
【００１１】
さらに、前記第１反射鏡および前記第２反射鏡は、放物面鏡の一部を切り取って形成したものであってもよい。
【００１２】
他方、本発明は、赤外線を照射するための赤外線発生器と、前記赤外線発生器からの赤外線を分析対象試料に向けて反射させる第１反射鏡と、前記分析対象試料を透過した赤外線を赤外線検出器に向けて反射させる第２反射鏡とを備え、受光した赤外線をフーリエ変換分光法によって分光して前記分析対象試料を測定するフーリエ変換赤外分光器において、前記分析対象試料に照射するためのＸ線発生器と、前記分析対象試料を透過したＸ線を受光する小角散乱検出器とを備え、前記第１反射鏡および第２反射鏡の中心にＸ線を通す通過孔を設けたことを特徴とする。
【００１３】
さらに、本発明は、赤外線を照射するための赤外線発生器と、この赤外線を集光するための第１放物面鏡と、集光した赤外線を分析対象試料へ向けて反射させる第１平面鏡と、前記分析対象試料を透過した赤外線を赤外線検出器に向けて反射させる第２平面鏡および第２放物面鏡とを備え、受光した赤外線をフーリエ変換分光法によって分光して前記分析対象試料を測定する赤外透過スペクトル測定装置であって、前記分析対象試料に照射するためのＸ線発生器と、前記分析対象試料を透過したＸ線を受光する小角散乱検出器または広角散乱検出器のいずれか一方または両方とを備え、前記Ｘ線の中心線を挟む両側のうち一方の側に前記第１平面鏡を配置し、前記Ｘ線の中心線を挟む両側のうち他方の側に前記第２平面鏡を配置し、前記第１平面鏡および前記第２平面鏡は、前記赤外線の中心線と前記Ｘ線の中心線とのずれ角が５度以下になるように配置されていることを特徴とする。
【００１５】
さらにまた、前記第１平面鏡および前記第２平面鏡は、平面鏡の一部を切り取って形成したものであってもよい。
【発明の効果】
【００１６】
本発明に係る赤外透過スペクトル測定装置では、分析対象試料に照射するためのＸ線発生器と、前記分析対象試料を透過したＸ線を受光する小角散乱検出器または広角散乱検出器のいずれか一方または両方とを備えることができ、前記Ｘ線を挟んだ一方の側に前記第１反射鏡を配置し、前記Ｘ線を挟んだ他方の側に前記第２反射鏡を配置しているので、赤外線を反射させる第１反射鏡および第２反射鏡とＸ線とが干渉することがなく、赤外線とＸ線とをほぼ同軸上に同時に通すことができ、分析対象試料に関する赤外透過スペクトルとＸ線散乱図形を同時に測定することができる。
また、第１反射鏡から第２反射鏡へ反射される赤外線の中心線とＸ線の中心線とをほぼ同軸になるように通すことができるので、赤外線およびＸ線を通すのに必要な空間を大きく設ける必要がなく、分光器の小型化を図ることができる。
さらに、Ｘ線を挟んだ他方の側に第２反射鏡がないので、この他方の側に広角散乱検出器を配置することができ、分光器をより小型化することができる。
【００１７】
他方、本発明に係る赤外透過スペクトル測定装置では、分析対象試料に照射するためのＸ線発生器と、前記分析対象試料を透過したＸ線を受光する小角散乱検出器とを備え、前記第１反射鏡および第２反射鏡の中心にＸ線を通す孔を設けているので、赤外線を反射させる第１反射鏡および第２反射鏡とＸ線とが干渉することがなく、赤外線とＸ線とを同時に通すことができる。
また、第１反射鏡から第２反射鏡へ反射される赤外線の中心線とＸ線の中心線とをほぼ同軸になるように通すことができるので、赤外線およびＸ線をほぼ同軸上に通すのに必要な空間を大きく設ける必要がなく、分光器の小型化を図ることができる。
【００１８】
さらに、本発明に係る赤外透過スペクトル測定装置では、前記分析対象試料に照射するためのＸ線発生器と、前記分析対象試料を透過したＸ線を受光する小角散乱検出器または広角散乱検出器のいずれか一方または両方とを備え、前記Ｘ線を挟んだ一方の側に前記第１平面鏡を配置し、前記Ｘ線を挟んだ他方の側に前記第２平面鏡を配置しているので、赤外線を反射させる第１平面鏡および第２平面鏡とＸ線とが干渉することがなく、赤外線とＸ線とをほぼ同軸上に同時に通すことができる。
また、第１平面鏡から第２平面鏡へ反射される赤外線の中心線とＸ線の中心線とをほぼ同軸になるように通すことができるので、赤外線およびＸ線を通すのに必要な空間を大きく設ける必要がなく、分光器の小型化を図ることができる。
さらに、Ｘ線を挟んだ他方の側に第２平面鏡がないので、この他方の側に広角散乱検出器を配置することができ、分光器をより小型化することができる。
【図面の簡単な説明】
【００１９】
【図１】本発明の実施の形態に係るフーリエ変換赤外分光器本体の外観斜視図である。
【図２】赤外透過スペクトル測定装置の光学系を上側から見た平面概要図である。
【図３】赤外透過スペクトル測定装置の光学系を正面から見た正面概要図である。
【図４】第２反射鏡を単体で示したものであって、（ａ）は平面図、（ｂ）は（ａ）を右側から見た図、（ｃ）は（ａ）を上側から見た図である。
【図５】機器の配置を変更した他の実施例であって、図２に対応するものである。
【図６】図５を正面から見た正面概略図である。
【図７】従来の物質同定装置を示す概要図である。
【発明を実施するための形態】
【００２０】
以下、本発明の実施の形態に係る赤外透過スペクトル測定装置を搭載したフーリエ変換赤外分光器１について、図面を用いて詳細に説明する。図１は、本実施の形態に係るフーリエ変換赤外分光器１（以下、分光器１という）の外観斜視図である。
なお、以下の説明で使用する方向は、図１の分光器１の手前側を正面とし、前後、左右および上下の方向は、この正面から見た方向をいうものとする。
【００２１】
この分光器１は、本発明による新規の赤外透過スペクトル測定光学系５（赤外線透過スペクトル測定装置。以下、新規光学系５という）を装着することにより、Ｘ線と赤外線とを用いて試料の同時測定を行うことによって、試料の同定のみならず、試料の分子構造までを測定しようとするものである。
【００２２】
図１に示す分光器１は、コンパクトかつ堅牢に製作され、持ち運び可能なものである。この分光器１は、略直方体形状をなしており、本体部２の前面に透過試料室３が装着されている。この透過試料室３は、本体部２の上部のロック部４を押してロックを解除することによって、前方向にスライドさせて取り外せるようになっている。この透過試料室３を取り外すことによって、新規光学系５が分光器１に取り付けられるようになる。これにより、透過試料室３と新規光学系５とを自由に交換して使用することもできる。
【００２３】
図２は、分光器１と新規光学系５を接続したものを上側から見た概要図、図３は、新規光学系５を前側正面から見た概要図である。
【００２４】
分光器１の本体部２の内部には、図２に示すように、赤外線１４を照射するための赤外線発生器１０と赤外線検出器１３とが設けられている。
また、新規光学系５には赤外線１４を反射させる第１反射鏡１１および第２反射鏡１２とが設けられている。
また、新規光学系５には、図２および図３に示すように、Ｘ線を照射するためのＸ線発生器２０と、このＸ線のうち小角散乱したＸ線を検出する小角散乱検出器２１と、広角散乱したＸ線を検出する広角散乱検出器２２とが設けられるようになっている。
さらに、新規光学系５において、赤外線１４ａの光路には赤外偏光子２５を挿入できるようになっており、分析対象試料３０について、赤外偏光スペクトル測定による分子配向解析も可能となる。
【００２５】
なお、以下の説明では、説明を容易にするために、赤外線発生器１０から第１反射鏡１１までの赤外線を符号１４ａで示し、第１反射鏡１１から第２反射鏡までの赤外線を符号１４ｂ、第２反射鏡１２から赤外線検出器１３までの赤外線を符号１４ｃで示す。
【００２６】
赤外線発生器１０は、図２に示すように、分光器１の本体部２の右奥側に配置されており、赤外線１４ａを前方に位置する第１反射鏡１１に向けて照射する。
第１反射鏡１１は、図２に示すように、前方に向けて照射された赤外線１４ａを、分光器１の左側に向けて略９０度反射させる（詳細には、分析対象試料３０にほぼ垂直に照射される）ように向けられている。
【００２７】
第２反射鏡１２は、第１反射鏡１１で反射して分析対象試料３０を透過した赤外線１４ｂを、分光器１の奥側に向けて略９０度反射させる（詳細には、赤外線検出器１３に向けて反射させる）ように向けられている。
赤外線検出器１３は、本体部２の左奥側に配置されており、前方に位置する第２反射鏡１２で反射された赤外線１４ｃを受光する。
【００２８】
Ｘ線発生器２０は、図２および図３に示すように、本体部２の右側に設けられ、照射されるＸ線がその中心線４０（左右方向にほぼ水平な線）に沿って分析対象試料３０にほぼ垂直に照射されるように配置されている。分析対象試料３０を透過したＸ線は、小角散乱したものが小角散乱検出器２１で検出され、広角散乱したものが広角散乱検出器２２で検出される。
【００２９】
なお、小角散乱検出器２１は、図２および図３に示すように、Ｘ線の中心線４０の延長線上に位置するように配置されている。一方、広角散乱検出器２２は、図２に示すように、Ｘ線の中心線４０よりも前側に位置し、かつ、図３に示すように、Ｘ線の中心線４０よりも上側に位置するように配置されている。
【００３０】
また、上述した第１反射鏡１１および第２反射鏡１２は、図３に示すように、略円形の放物面鏡をほぼ半割にしたものが使用されている。より詳細には、第１反射鏡１１の外形状は、図３に示すように、下側半分が切り取られた上側のみの半円形状に形成されている。また、第２反射鏡１２の外形状は、第１反射鏡１１と同じであり、これを１８０度回転させたものである。
【００３１】
さらに、第１反射鏡１１は、図３に示すように、Ｘ線の中心線４０よりも上側に配置されている。一方、第２反射鏡１２は、Ｘ線の中心線４０よりも下側に配置されている。これにより、Ｘ線は、第１反射鏡１１および第２反射鏡１２と干渉せずに（第１反射鏡１１および第２反射鏡１２に遮られずに）小角散乱検出器２１に入光するようになる。
【００３２】
これにより、赤外線１４ｂは、図３に示すように、第１反射鏡１１から分析対象試料３０までの間において、Ｘ線の中心線４０よりも上側を通過して、分析対象試料３０上で一点で収束する。また、赤外線１４ｂは、分析対象試料３０から第２反射鏡１２までの間において、Ｘ線の中心線４０よりも下側を通過して、第２反射鏡１２まで到達する。すなわち、Ｘ線の中心線４０および赤外線１４ｂの中心線５０は、図３に示すように、分光器１を正面から見た左右方向において、Ｘ線の中心線４０および赤外線１４ｂの中心線５０が重ならないようにしてほぼ同軸に通すことができるようになる。
【００３３】
ここで、上述したほぼ同軸とは、Ｘ線の中心線４０と、赤外線１４ｂの中心線５０とがほぼ同軸になることをいうものとする。より詳細には、図２に示すように、上から見た状態では、第１反射鏡１１および第２反射鏡１２の配置は、Ｘ線の中心線４０と赤外線１４ｂの中心線５０とが同一になるようにしている。また、図３に示すように、正面から見た状態では、分析対象試料３０を中心に、Ｘ線の中心線４０に対して赤外線１４ｂの中心線５０が反時計回りに回転してずれた位置（Ｘ線と赤外線とが干渉しない位置）にある。このずれ角αは、赤外線スペクトルとＸ線散乱図形との相互的解析を考慮した場合、好ましくは０度であり、少なくとも５度以下にするのがよいが、新規光学系５では２度〜５度を達成している。これにより、Ｘ線と赤外線とをほぼ同軸にして通すことができる。
【００３４】
また、広角散乱検出器２２の一部が、第２反射鏡１２の上側部分（半円状に切り取られた上側部分）に位置するように配置されている。すなわち、広角散乱検出器２２の奥側下部（図２および図３参照）の一部と第２反射鏡１２とが干渉しないように、第２反射鏡１２の上側が切り取られた構造になっている。
【００３５】
分光器１および新規光学系５の横幅をよりコンパクトにするためには、分析対象試料３０から広角散乱検出器２２までの距離Ｌが短い方が好ましい。しかしながら、距離Ｌを短くすると、分析対象試料３０の種類によって異なる広角分散の角度により、第２反射鏡１２と広角散乱検出器２２の奥側下部の一部とが、上述のように干渉することになる。そのため、広角散乱検出器２２と干渉することになる第２反射鏡１２の上側部分を半円状に切り取り、広角散乱検出器２２と第２反射鏡１２とが干渉しないようにして、上述した距離Ｌを短くしている。
【００３６】
図４は、第２反射鏡１２を単体で示したものであって、（ａ）は上側から見た平面図、（ｂ）は（ａ）を左側から見た図、（ｃ）は（ａ）を下側から見た図である。なお、図４（ｂ）および図４（ｃ）において、斜線を引いて示してある部分は、第２反射鏡１２の上側の切り取った部分（取り除いた部分）を示している。
また、第１反射鏡１１は、第２反射鏡１２と同じ構造（詳細には、第１反射鏡１１は第２反射鏡１２を１８０度回転させたもの）であるため、第２反射鏡１２について説明することで第１反射鏡１１の詳細な説明は省略する。
【００３７】
第２反射鏡１２は、図４に示すように、本体部２の反射鏡取付部（図示せず）に取り付けるための取付部１２ａと、この取付部１２ａの前面に設けられた反射鏡１２ｂとで構成されている。この反射鏡１２ｂは、図４（ｂ）および図４（ｃ）に示す斜線部を取り除く前の状体において放物面鏡を構成している。
【００３８】
取付部１２ａの上面には、図４（ａ）に示すように、上述した反射鏡取付部にねじ等の締結部材（図示せず）で取り付けるための取付穴１２ｃが複数設けられている。
【００３９】
本発明の実施の形態に係る新規光学系５の赤外透過スペクトル測定装置およびこの赤外透過スペクトル測定装置を搭載したフーリエ変換赤外分光器１によれば、分析対象試料３０に照射するためのＸ線発生器２０と、分析対象試料３０を透過したＸ線を受光する小角散乱検出器２１または広角散乱検出器２２のいずれか一方または両方とを備え、Ｘ線を挟んだ一方の側に第１反射鏡１１を配置し、Ｘ線を挟んだ他方の側に第２反射鏡１２を配置しているので、赤外線を反射させる第１反射鏡１１および第２反射鏡１２とＸ線とが干渉することがなく、赤外線とＸ線とを同時に通すことができる。
また、第１反射鏡１１から第２反射鏡１２へ反射される赤外線の中心線５０とＸ線の中心線４０とをほぼ同軸になるように通すことができるので、赤外線およびＸ線を通すのに必要な空間を大きく設ける必要がなく、装置の小型化を図ることができる。
さらに、Ｘ線を挟んだ他方の側に第２反射鏡１２がないので、この他方の側に広角散乱検出器２２を配置することができ、装置をより小型化することができる。
【００４０】
また、第１反射鏡１１および第２反射鏡１２は、赤外線の中心線５０とＸ線の中心線４０とのずれ角αが２度から５度の範囲内になるように配置されているので、Ｘ線が第１反射鏡１１および第２反射鏡１２と干渉しない最小角度とすることで、赤外線およびＸ線を通すのに必要な空間をより小さくすることができ、装置を小型化することができる。
【００４１】
さらに、第１反射鏡１１および第２反射鏡１２は、放物面鏡の一部を切り取って形成しているので、第１反射鏡１１および第２反射鏡１２が、赤外線のみを反射させるための従来使用の反射鏡を流用してその一部を切り取ることで製作することができる。そのため、第１反射鏡１１および第２反射鏡１２を容易に製造することができる。
【００４２】
以上、本発明の実施の形態に係るフーリエ変換赤外分光器について述べたが、本発明は既述の実施形態に限定されるものではなく、本発明の技術思想に基づいて各種の変形および変更が可能である。
【００４３】
例えば、本実施の形態では、第１反射鏡１１および第２反射鏡１２を半割にして、透過させるＸ線がこれらの反射鏡１１、１２を避けるようにすることでＸ線と赤外線とをほぼ同軸上に通すようにしているが、以下の方法であってもほぼ同軸に通すことができる。例えば、第１反射鏡１１および第２反射鏡１２を半割ではなくて円形状の放物面鏡をそのまま使用し、かつ、第１反射鏡および第２反射光の中心にＸ線を通すための通過孔を設けておく。この方法では、広角散乱検出器２２を設けずに、小角散乱検出器２１を用いて小角散乱のみを検出して測定を行う。これによれば、Ｘ線と赤外線とを同時に通して分析対象試料３０を測定することができるとともに、Ｘ線と赤外線とを正面から見て同軸に通すことができる。その結果、赤外線およびＸ線を通すのに必要な空間を大きく設ける必要がなく、装置の小型化を図ることができる。
【００４４】
他方、本実施の形態では、図２に示すような機器配置を例示したが、これに限定されない。図５は、本実施の形態の他の実施例であって、図２に対応する（機器配置を上側から見た平面図）ものであり、図６はその正面概略図である。この他の実施形態におけるフーリエ変換赤外分光器６０（以下、分光器６０という）では、平面鏡を半割にした第１平面鏡６１、第２平面鏡６２、および放物面鏡をそのまま使用した第１放物面鏡７１、第２放物面鏡７２が用いられている。
【００４５】
なお、この分光器６０では、Ｘ線発生器２０、小角散乱検出器２１、および広角散乱検出器２２の配置やＸ線の中心線４０は本実施の形態の図２と同じであり、詳細説明は省略する。
【００４６】
分光器６０は、図５に示すように、赤外線発生器１０から照射される赤外線６４ａを左側に向けて照射するようにしている。また、照射された赤外線６４ａは、第１放物面鏡７１によって赤外線６４ｂとして前方に向けて集光して反射される。この第１放物面鏡７１は、そのままの形状（半割などに加工されていない形状）で使用されている。
【００４７】
赤外線６４ｂは、第１放物面鏡７１の前側に位置する第１平面鏡６１によって左側に向けて反射される（赤外線６４ｃ）。この第１平面鏡６１には、放物面鏡ではなく、通常の平面鏡が使用されている。また、第１平面鏡６１は、図６に示すように、赤外線６４ｂの上側半分を受け得るように、半割形状に加工されている。これは、本実施の形態のように、第１反射鏡１１および第２反射鏡１２で使用される放物面鏡を半割に加工するのは難しいため、加工が容易な平面鏡を用いて半割形状に加工したものである。
【００４８】
赤外線の中心線５０とＸ線の中心線４０とのずれ角αは、赤外線スペクトルとＸ線散乱図形の相互的解析を考慮した場合、好ましくは０度であり、少なくとも５度以下にするのがよいが、本発明では２度〜５度を達成している。これにより、Ｘ線と赤外線とをほぼ同軸にして通すことができる。
【００４９】
赤外線６４ｃは、分析対象試料３０を透過して、第２平面鏡７２で奥側に反射される（赤外線６４ｄ）。この第２平面鏡７２も、第１平面鏡７１と同様に、半割形状に加工されている。また、半割にした第１平面鏡７１は、Ｘ線の中心線４０よりも上側に配置され、第２平面鏡７２は、Ｘ線の中心線４０よりも下側に配置されている（図６参照）。
なお、設置するスぺースがあれば、平面鏡６１、６２を半割に加工しないで、第１平面鏡６１をＸ線の中心線４０よりも上側に配置し、第２平面鏡６２をＸ線の中心線４０よりも下側に配置するだけでもよい。
【００５０】
赤外線６４ｄは、図５に示すように、奥側に位置する第２放物面鏡７２へと反射され、この第２放物面鏡７２によって左側へとさらに反射され（赤外線６４ｅ）、赤外線検出器１３に入光する。
【００５１】
このように図５に示す分光器６０であっても、Ｘ線と第１平面鏡７１および第２平面鏡７２とが干渉することがなく、本実施の形態と同様に、Ｘ線と赤外線とをほぼ同軸に同時に通すことができるようになる。また、平面鏡６１、６２を半割に加工しているので、本実施の形態の分光器１と比較して、加工が容易な分だけ製造コストを低減することができる。さらに、半割加工をしなければ、さらに製造コストを低減することもできる。
【００５２】
また、本実施の形態では、Ｘ線と赤外線との同時測定について記載したが、これに限らず、例えば、レーザ光を使用したラマン分光法を用いて、レーザ光と赤外線とによる同時測定をすることもできる。
【００５３】
また、本実施の形態では、丸形状の第１反射鏡１１および第２反射鏡１２を半割の形状（上半分または下半分を切り取った形状）にしているが、半割の形状に限定されるものではない。すなわち、赤外線とＸ線とが干渉しない範囲でほぼ同軸に通すことができ、かつ、第２反射鏡１２と広角散乱検出器２２の一部とが干渉しないように配置することができるようにできれば、半割の形状ではなくてもよい。例えば、第１反射鏡１１および第２反射鏡１２を約１／３だけ取り除いた形状であってもよく、それ以上またはそれ以下に切り取った形状であってもかまわない。
【００５４】
さらに、本実施の形態では、正面から見て右側の第１反射鏡１１をＸ線よりも上側（Ｘ線を挟んで一方の側）に配置し、第２反射鏡１２をＸ線よりも下側（Ｘ線を挟んで他方の側）に配置しているが、上下逆であっても構わない。すなわち、赤外線とＸ線とをほぼ同軸に通すことができ、かつ、Ｘ線と各反射鏡１１、１２とが干渉しないものであれば、第１反射鏡１１をＸ線よりも下側に配置し第２反射鏡１２をＸ線よりも上側に配置してあってもよい。
【００５５】
なお、分光器１には、分析対象試料３０の取付位置を調整可能なように、分析対象試料３０を前後左右に移動させる移動装置を設けてあってもよい。また、分析対象試料３０を加熱、冷却、圧縮、引張するための装置を設け、分析対象試料３０の測定条件を適宜変更できるようにしてもよい。
【００５６】
新規光学系５において、赤外線１４ａの光路には赤外偏光子２５を挿入できるようにしてあるが、赤外偏光子に加えて光弾性変調器２６を設け、赤外偏光二色差スペクトルを測定できるようにしてもよい（図２および図５において、赤外偏光子２５および光弾性変調器２６を点線で示す）。
【符号の説明】
【００５７】
１  フーリエ変換赤外分光器
２  フーリエ変換赤外分光器本体部
３  フーリエ変換赤外分光器標準透過試料室部
４  ロック部
５  赤外透過スペクトル測定光学系（赤外線透過スペクトル測定装置）
１０  赤外線発生器
１１  第１反射鏡
１２  第２反射鏡
１２ａ  取付部
１２ｂ  反射鏡
１２ｃ  取付穴
１３  赤外線検出器
１４（１４ａ、１４ｂ、１４ｃ）  赤外線
２０  Ｘ線発生器
２１  小角散乱検出器
２２  広角散乱検出器
２５  赤外偏光子
２６  光弾性変調器
３０  分析対象試料
４０  Ｘ線の中心線
５０  赤外線の中心線
６０  分光器
６１  第１平面鏡
６２  第２平面鏡
６４ａ、６４ｂ、６４ｃ、６４ｄ、６４ｅ  赤外線
７１  第１放物面鏡
７２  第２放物面鏡
１００  物質同定装置
１０１  試料
１０２  ステージ
１１０  Ｘ線発生器
１１１、１１２  Ｘ線検出器
１２０  赤外線発生器
１２１、１２２  赤外線検出器
Ｌ  距離
α  ずれ角
【図１】
0005707213.tif 000002
【図２】
0005707213.tif 000003
【図３】
0005707213.tif 000004
【図４】
0005707213.tif 000005
【図５】
0005707213.tif 000006
【図６】
0005707213.tif 000007
【図７】
0005707213.tif 000008